(57)【特許請求の範囲】
【請求項１】
屈曲形状を保持し得るフレキシブルチューブと、
前記フレキシブルチューブ内に収容された同軸ケーブルと
をそなえた形状保持可能な屈曲性同軸ケーブル。
【請求項２】
請求項1記載の形状保持可能な屈曲性同軸ケーブルにおいて、
前記フレキシブルチューブは、鋼製丸線を密巻きして形成したチューブの外側に、異形線を巻き付けて形成されたものであることを特徴とする形状保持可能な屈曲性同軸ケーブル。
【請求項３】
請求項1記載の同軸ケーブルの少なくとも一端に、同軸接栓が設けられたことを特徴とする形状保持可能な屈曲性同軸ケーブル付き同軸接栓。
【請求項４】
請求項1記載の同軸ケーブルの少なくとも一端に、信号分波器または信号分配器が設けられたことを特徴とする形状保持可能な屈曲性同軸ケーブル付き信号分波・分配器。
【発明の詳細な説明】
【技術分野】
【０００１】
本発明は、同軸ケーブルに係わり、とくに屈曲性を有しかつ屈曲後の形状を保持し得る同軸ケーブル、ならびにこの同軸ケーブルと組み合わされた接栓および信号分波・分配器に関する。
【背景技術】
【０００２】
例えばＴＶ信号用の同軸ケーブルは、配線の引き回しのため屈曲性が要求されている。
【０００３】
一方、接続すべき機器に対して接栓等により接続された状態では、同軸ケーブルは、壁等の所定の対象に固定されるのが通例である。この場合、接栓周辺で、同軸ケーブルを屈曲させてケーブルタイ等により機器に固定するとか、結束材により纏めるとかの処理をし、さらには固定対象に留める等の処置をしている。
【先行技術文献】
【特許文献】
【０００４】
【特許文献１】特開2011−229355号公報
【発明の開示】
【発明が解決しようとする課題】
【０００５】
すなわち、同軸ケーブルは、その可撓性により屈曲させるには好都合であるが、反面、形状が不定であるからそれ自体を形状保持させて固定することはできない。
【０００６】
そして、配線後に同軸ケーブルを固定させるには壁等の固定対象が必要であるうえに、ケーブルタイ等の固定材が必要であり、しかも固定作業の作業性は必ずしもよくない。
【０００７】
本発明は、上述の点を考慮してなされたもので、屈曲性および形状保持性を併せ持った同軸ケーブルを提供することを目的とする。
【課題を解決するための手段】
【０００８】
上記目的達成のため、本発明では、
屈曲形状を固定し得るフレキシブルチューブと、
前記フレキシブルチューブ内に収容された同軸ケーブルと
をそなえた形状を固定し得る屈曲可能な同軸ケーブル、
を提供するものである。
【発明の効果】
【０００９】
本発明は上述のように、屈曲性のある同軸ケーブルを、形状を保持し得るフレキシブルチューブ内に収容したため、屈曲後の形状を保持し得る同軸ケーブルを提供することができる。併せて、この同軸ケーブルを用いることにより設置工事が簡単化された同軸接栓、および信号分波・分岐器を提供することができる。
【図面の簡単な説明】
【００１０】
【図１】ねじ式接栓に本発明に係る同軸ケーブルを適用した本発明の一実施例を示す、一部を断面表示した斜視図。
【図２】図２(a)は、図１に示した実施例の接栓端面を示す図であり、図２(b)は、上半分が同実施例の部分縦断面図で、下半分がその外観図。
【図３】図２(b)のＡ部を拡大して示した部分断面図。
【図４】プッシュ式接栓に本発明に係る同軸ケーブルを適用した本発明の他の実施例分波・分配器に、本発明に係るねじ式接栓付きの同軸ケーブルを適用した本発明の更に他の実施例を示す斜視図。を示す、一部を断面表示した斜視図。
【図５】図５(a)は、図４に示した実施例の接栓端面を示す図であり、図５(b)は、上半分が同実施例の部分縦断面図で、下半分がその外観図。
【図６】分波・分配器に、本発明に係るねじ式接栓付きの同軸ケーブルを適用した本発明の更に他の実施例を示す斜視図。
【図７】分波・分配器に、本発明に係るプッシュ式接栓付きの同軸ケーブルを適用した本発明の更に他の実施例を示す斜視図。
【発明を実施するための最良の形態】
【００１１】
以下、添付図面を参照して本発明の実施の形態を説明する。
【実施例１】
【００１２】
図1は、ねじ式接栓に本発明に係る同軸ケーブルを適用した本発明の第１の実施例を示す一部を断面表示とした斜視図であり、この場合、同軸ケーブル１０の一端つまり図における左手前端に同軸接栓２０が取り付けられており、両者の結合点は、樹脂製カバー３０で覆われている。
【００１３】
ここで、同軸ケーブルは、ＴＶ信号用の同軸ケーブルの外周に、フレキシブルチューブと呼ばれ、屈曲性を有し屈曲後の形状を保持し得る金属製のチューブが被せられている。
【００１４】
このため、同軸接栓２０を対象機器に接続した後、同軸ケーブル１０を任意形状に屈曲させると、その形状を保持する。例えば、同軸ケーブル１０の図示右端を上下左右に曲げれば、曲げた後の状態、つまり先端が上向き、下向き、左向き、右向きの状態を保持する。
【００１５】
したがって、同軸接栓２０を例えば下向きに取り付けると、同軸ケーブル１０を垂直方向に自立させた状態とすることができ、固定対象も固定具も必要としない。
【００１６】
ねじ式接栓は、ＴＶ端子への挿、脱時に６角ナットを回転させるため、同軸ケーブルには軸周り方向の力が作用することを考慮する必要がある。
【００１７】
図２は、本発明の第1の実施例の構造を示しており、図２(a)は、本発明の第1の実施例における同軸接栓側の端面形状を、図２(b)は同じく同軸接栓を含む同軸ケーブルの部分を一部断面として図示した説明図である。
【００１８】
図２(a)は通常のＦ型接栓の端面図と同様であるが、図２(b)では同軸ケーブル１０の部分にフレキシブルチューブを被せてある点が、通常の同軸接栓と同軸ケーブルとの関係とは異なる。
【００１９】
すなわち、同軸ケーブル１０は、外層がフレキシブルチューブであり、このフレキシブルチューブは、内側の鋼製丸線つまり円形断面線のコイル１１ａの外側に、異形線の一種である三角断面線のコイル１１ｂが組み合わせてあり、これら両コイルの係合関係により屈曲性を持ちながら形状保持性を持つ特性が得られる。
【００２０】
同軸ケーブルは、中心から外層に向かって芯線１２ａ、樹脂製絶縁層１２ｂ、編組１２ｃおよび外皮１２ｄが設けられており、外皮１２ｄの外側に，フレキシブルチューブが配されている。
【００２１】
そして、芯線１２ａは同軸接栓２０の中心導体２３に接続され、編組１２ｃは同軸接栓２０の外側導体２１，２２に圧接状態で接続されている。さらに、同軸ケーブル１０と同軸接栓２０との境界部分は、樹脂製カバー３０により覆われている。
【００２２】
図３は、図２(b)におけるＡ部分を拡大して示したものである。断面表示部分の最下層に同軸ケーブルの芯線１２ａがあり、同軸接栓の中心導体２３に接続されている。芯線１２ａに接して樹脂製絶縁層１２ｂが配され、その上層に編組１２ｃ、外皮１２ｄが順次配されている。
【００２３】
そして、外皮１２ｄの外層に、フレキシブルチューブ１１の円形断面線コイル１１ａ、三角断面線コイル１１ｂが重ねて配されており、フレキシブルチューブ１１の図示左端が編組１２ｃと接続されている。さらに、フレキシブルチューブ１１の外層に同軸接栓の外側導体（シェル）２２が配されて、最外層を樹脂製カバー３０が覆っている。
【実施例２】
【００２４】
図４は、プッシュ式同軸接線に適用した本発明の第２の実施例を示す斜視図である。この実施例では、第１の実施例におけるねじ式接栓に替えて、プッシュ式接栓に本発明を適用している。
【００２５】
プッシュ式接栓は、ＴＶ端子への挿、脱を直線的に押し込み、引き抜きすることで行うもので、ねじ式のような回転操作によるものではない。このため、同軸ケーブルには、ＴＶ端子への挿、脱の度に軸方向の力が作用することを考慮する必要がある。
【００２６】
図５(a)，(b)は、第２の実施例の構造を示しており、図５(a)は、図４に示した実施例の接栓端面を示す図であり、図５(b)は、上半分が同実施例の部分縦断面図で、下半分がその外観図である。
【００２７】
この図５(a)，(b)に示すように、接栓は、同軸ケーブル１０の芯線に接続された中心導体２３と、同軸ケーブルの編組に接続された外側導体２１，２２とにより構成される。同軸ケーブル１０は、円形断面線コイル１１ａ、三角断面線コイル１１ｂにより構成されるフレキシブルチューブ内に収容されている。そして、接栓２０と同軸ケーブル１０との接続部分は、樹脂製カバー３０により覆われている。
【実施例３】
【００２８】
図６は、図１に示した第１の実施例を分波・分配器に適用した第３の実施例を示しており、２本の同軸ケーブル１０の各一端に、接栓２０および樹脂製カバー３０を有し、各他端を分波・分配器４０および接栓座５０に接続した構成となっている。
【実施例４】
【００２９】
図７は、図４に示した第２の実施例を分波・分配器に適用した第４の実施例を示しており、２本の同軸ケーブル１０の各一端に、接栓２０および樹脂製カバー３０を有し、各他端を分波・分配器４０および接栓座５０に接続した構成となっている。
【００３０】
す斜視図。
【符号の説明】
【００３１】
１０  形状保持可能な屈曲性同軸ケーブル、
１１ａ  円形断面線コイル、１１ｂ  三角断面線コイル、１２ａ  芯線、
１２ｂ  絶縁層、１２ｃ  編組、１２ｄ  外皮、
２０  接栓、２１，２２  外側導体、２３  中心導体、
３０  樹脂製カバー、４０  分波・分岐器、５０  接線座。
【図１】
0006367060.tif 000002
【図２】
0006367060.tif 000003
【図３】
0006367060.tif 000004
【図４】
0006367060.tif 000005
【図５】
0006367060.tif 000006
【図６】
0006367060.tif 000007
【図７】
0006367060.tif 000008